【手続補正書】
【提出日】平成16年12月14日(2004.12.14)
【手続補正１】
【補正対象書類名】明細書
【補正対象項目名】特許請求の範囲
【補正方法】変更
【補正の内容】
【特許請求の範囲】
【請求項１】
動画像を撮像する撮像手段と、
前記撮像手段より出力される動画像データに無音に対応するデータを付加するか否かを設定する設定手段と、
前記設定手段により無音に対応するデータを付加すると設定されるとき、無音に対応する所定の音声データを生成する音声データ生成手段と、
前記撮像手段により出力される動画像データと前記音声データ生成手段により生成される前記所定の音声データとを組み合わせたデータを記録する記録手段とを有することを特徴とする画像処理装置。
【請求項２】
動画像を撮像する撮像手段と、
前記撮像手段より出力される動画像データに無音に対応するデータを付加するか否かを設定する設定手段と、
前記設定手段により無音に対応するデータを付加すると設定されるとき、無音に対応する所定の音声データを生成する音声データ生成手段と、
前記撮像手段により出力される動画像データと前記音声データ生成手段により生成される前記所定の音声データとを組み合わせて当該画像処理装置から着脱可能な記録媒体に記録する記録制御手段とを有することを特徴とする画像処理装置。
【請求項３】
前記音声データ生成手段は、所定の音声サンプルデータがとり得る値の所定値を前記所定の音声データとして生成することを特徴とする請求項１又は２記載の画像処理装置。
【請求項４】
前記音声データ生成手段は、前記所定の音声サンプルデータがとり得る値の中間値を前記所定の音声データとして生成することを特徴とする請求項３記載の画像処理装置。
【請求項５】
音声データを記録する音声データ記録手段と、
前記音声データ記録手段より前記音声データを読み出す読出手段とを有し、
前記記録手段は、前記撮像手段により出力される動画像データと前記読出手段により読み出される前記音声データとを組み合わせて記録することを特徴とする請求項１記載の画像処理装置。
【請求項６】
当該画像処理装置から着脱可能な記録媒体より音声データを読み出す読出手段を有し、
前記記録手段は、前記撮像手段により出力される動画像データと前記読出手段により読み出される前記音声データとを組み合わせて記録することを特徴とする請求項１記載の画像処理装置。
【請求項７】
音声データを記録する音声データ記録手段と、
前記音声データ記録手段より前記音声データを読み出す読出手段とを有し、
前記記録制御手段は、前記撮像手段により出力される動画像データと前記読出手段により読み出される前記音声データとを組み合わせて前記記録媒体に記録することを特徴とする請求項２記載の画像処理装置。
【請求項８】
当該画像処理装置から着脱可能な記録媒体より音声データを読み出す読出手段を有し、
前記記録制御手段は、前記撮像手段により出力される動画像データと前記読出手段により読み出される前記音声データとを組み合わせて前記記録媒体に記録することを特徴とする請求項２記載の画像処理装置。
【請求項９】
前記撮像手段より出力される動画像データに無音に対応するデータを付加するか否かを設定する設定ステップと、
前記設定ステップにより無音に対応するデータを付加すると設定されるとき、無音に対応する所定の音声データを生成する音声データ生成ステップと、
動画像を撮像する撮像手段により出力される動画像データと前記音声データ生成ステップにより生成される前記所定の音声データとを組み合わせたデータを記録媒体に記録する第１記録ステップとを有することを特徴とする画像処理方法。
【請求項１０】
前記音声データ生成ステップでは、所定の音声サンプルデータがとり得る値の所定値を前記所定の音声データとして生成することを特徴とする請求項９記載の画像処理方法。
【請求項１１】
前記音声データ生成ステップでは、前記所定の音声サンプルデータがとり得る値の中間値を前記所定の音声データとして生成することを特徴とする請求項１０記載の画像処理方法。
【請求項１２】
音声データを記録する音声データ記録手段より前記音声データを読み出す読出ステップと、
前記撮像手段により出力される動画像データと前記読出ステップにより読み出される前記音声データとを組み合わせて前記記録媒体に記録する第２記録ステップとを有することを特徴とする請求項９記載の画像処理方法。
【請求項１３】
請求項１〜８の何れか１項に記載の各手段としてコンピュータを機能させるためのプログラムを記録したことを特徴とするコンピュータ読み取り可能な記録媒体。
【請求項１４】
請求項９〜１２の何れか１項に記載の画像処理方法の処理ステップをコンピュータに実行させるためのプログラムを記録したことを特徴とするコンピュータ読み取り可能な記録媒体。
【請求項１５】
請求項１〜８の何れか１項に記載の各手段としてコンピュータを機能させるためのプログラム。
【請求項１６】
請求項９〜１２の何れか１項に記載の画像処理方法の処理ステップをコンピュータに実行させるためのプログラム。
【手続補正２】
【補正対象書類名】明細書
【補正対象項目名】０００６
【補正方法】変更
【補正の内容】
【０００６】
【課題を解決するための手段】
本発明の画像処理装置の第１の態様は、動画像を撮像する撮像手段と、前記撮像手段より出力される動画像データに無音に対応するデータを付加するか否かを設定する設定手段と、前記設定手段により無音に対応するデータを付加すると設定されるとき、無音に対応する所定の音声データを生成する音声データ生成手段と、前記撮像手段により出力される動画像データと前記音声データ生成手段により生成される前記所定の音声データとを組み合わせたデータを記録する記録手段とを有することを特徴とする。
本発明の画像処理装置の第２の態様は、動画像を撮像する撮像手段と、前記撮像手段より出力される動画像データに無音に対応するデータを付加するか否かを設定する設定手段と、前記設定手段により無音に対応するデータを付加すると設定されるとき、無音に対応する所定の音声データを生成する音声データ生成手段と、前記撮像手段により出力される動画像データと前記音声データ生成手段により生成される前記所定の音声データとを組み合わせて当該画像処理装置から着脱可能な記録媒体に記録する記録制御手段とを有することを特徴とする。
本発明の画像処理方法は、前記撮像手段より出力される動画像データに無音に対応するデータを付加するか否かを設定する設定ステップと、前記設定ステップにより無音に対応するデータを付加すると設定されるとき、無音に対応する所定の音声データを生成する音声データ生成ステップと、動画像を撮像する撮像手段により出力される動画像データと前記音声データ生成ステップにより生成される前記所定の音声データとを組み合わせたデータを記録媒体に記録する第１記録ステップとを有することを特徴とする。
本発明のコンピュータ読み取り可能な記録媒体の第１の態様は、前記画像処理装置の各手段としてコンピュータを機能させるためのプログラムを記録したことを特徴とする。
本発明のコンピュータ読み取り可能な記録媒体の第２の態様は、前記画像処理方法の処理ステップをコンピュータに実行させるためのプログラムを記録したことを特徴とする。
本発明のプログラムの第１の態様は、前記画像処理装置の各手段としてコンピュータを機能させることを特徴とする。
本発明のプログラムの第２の態様は、前記画像処理方法の処理ステップをコンピュータに実行させることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】０１２４
【補正方法】変更
【補正の内容】
【０１２４】
【発明の効果】
本発明によれば、無音に対応するデータを動画像データに付加すると設定された場合には、無音に対応する音声データを動画像データと組み合わせて記録手段に記録するように構成したので、例えば音声データ付きの動画像データ再生にしか対応していない機種を使用する場合でも音声なしの動画像データを再生することが可能となり、汎用性の高い画像データ作成システムを開発負荷の増大を抑えつつ作成することができる。
【手続補正１９】
【補正対象書類名】明細書
【補正対象項目名】０１２５
【補正方法】変更
【補正の内容】
【０１２５】
また、本発明によれば、音声データ記録手段から音声データを読み出し、その音声データを動画像データと組み合わせて記録媒体に記録するように構成したので、本画像処理装置にマイク等の音声入力デバイスが装備されているか否かに拘わらず、動画像データに音声データをＢＧＭとして付加することが可能となる。